(57)【要約】加入者宅との距離が比較的短い屋外または遠隔地に設置されたキャビネットにはＤＳＬＡＭが内蔵されており、このＤＳＬＡＭに電力を供給する。ＤＳＬＡＭと接続されているすべての加入者宅設置装置（カスタマ・プレマイシーズ・イクイップメント：ＣＰＥ）は、ＤＳＬＡＭとそれぞれのＣＰＥとを接続している電話線を介して、遠隔地に設置されたキャビネットが必要とする電力の一部分を供給する。加入者宅のＣＰＥは、すでに商用電源に接続されており、屋外に設置されたキャビネットに電話線を介して電力を供給することは比較的容易である。遠隔地に設置されたキャビネットは、加入者からそれぞれ電力を受電し、その後、ＤＳＬＡＭの負荷に応じて、加入者から受電する電力を加入者間でそれぞれ等しくなるように配分する回路を含む。
2010521854.tif 000002
【特許請求の範囲】
【請求項１】
電気通信ネットワークにおけるリモート装置への電力供給方法であって、  ワイヤーラインを介して加入者宅にネットワーク装置から通信サービスを供給するステップと、  前記加入者宅の電力を調整して生成された電力を前記加入者宅の電源回路から前記ワイヤーラインに接続するステップと、  前記ワイヤーラインを介して前記リモート装置に前記加入者宅の電力を送電するステップとを備え、  前記リモート装置は、前記送電されてきた電力を前記リモート装置についての電力要求に適合させるための直流電圧調整回路を備えていることを特徴とする電力供給方法。
【請求項２】
前記リモート装置は、デジタル・サブスクライバ・ライン・アクセス・マルチプレクサ（ＤＳＬＡＭ）であることを特徴とする請求項１に記載の電力供給方法。
【請求項３】
前記通信サービスは、非対称デジタル加入者線（ＡＤＳＬ）、対称デジタル加入者線（ＳＤＳＬ）、超高速デジタル加入者線２（ＶＤＳＬ２）、ＩＳＤＮデジタル加入者線（ＩＤＳＬ）、および、対称高速デジタル加入者線（ＳＨＤＳＬ）のうちの１つであることを特徴とする請求項１に記載の電力供給方法。
【請求項４】
前記リモート装置とそれぞれの加入者宅を接続するために使用されるそれぞれのワイヤーラインを介して前記リモート装置において直流電力の形式で電力を受電することを特徴とする請求項１に記載の電力供給方法。
【請求項５】
電気通信ネットワークにおけるリモート装置への電力供給システムであって、  ワイヤーラインを介して加入者宅に通信サービスを提供するネットワーク装置と、  前記通信サービスを受信するための前記加入者宅における受信機と、  前記加入者宅の電力を調整して生成された電力を前記加入者宅の設備内に設けられた電源回路から前記ワイヤーラインに接続する手段と、  前記ワイヤーラインを介して前記リモート装置に前記電力を送電する手段と、  前記リモート装置において前記ワイヤーラインからの前記電力を前記リモート装置の電力要求に適合させるために調整する手段と  を備えることを特徴とする電力供給システム。
【請求項６】
前記リモート装置は、デジタル・サブスクライバ・ライン・アクセス・マルチプレクサ（ＤＳＬＡＭ）であることを特徴とする請求項５に記載の電力供給システム。
【請求項７】
前記通信サービスは、非対称デジタル加入者線（ＡＤＳＬ）、対称デジタル加入者線（ＳＤＳＬ）、超高速デジタル加入者線２（ＶＤＳＬ２）、ＩＳＤＮデジタル加入者線（ＩＤＳＬ）、および、対称高速デジタル加入者線（ＳＨＤＳＬ）のうちの１つであることを特徴とする請求項５に記載の電力供給システム。
【請求項８】
前記リモート装置は、複数の加入者宅それぞれの接続を介して前記リモート装置において直流電力の形式で電力を受電する手段を備えることを特徴とする請求項５に記載の電力供給システム。 
【発明の詳細な説明】
【技術分野】
【０００１】
本発明は加入者へのブロードバンドサービスに関する。限定するわけではないが、特に、本発明は電話局（セントラルオフィス：ＣＯ）から離れた遠隔地にある装置筐体（キャビネット）内に設置されているデジタル・サブスクライバ・ライン・アクセス・マルチプレクサ（ＤＳＬＡＭ）への電力供給のシステム、および、方法に関する。
【背景技術】
【０００２】
加入者はブロードバンドラインに対してより広い帯域を要求するようになっているため、通信事業者は、加入者のより近くに通信設備を移動する必要性が高まってきている。また、屋外または遠隔地にある新しいキャビネットへの電力供給に対する解決策も必要である。現在の解決策では、これらのキャビネットはその場で商用電源から電力を供給されているか、または、電話局からの遠隔供給によって供給されているかのどちらかである。
【発明の概要】
【発明が解決しようとする課題】
【０００３】
屋外に設置されたキャビネットにおいて商用電源を使用することの課題は、場所と費用に関係している。多くの国では、地域の電力供給会社は屋外にあるキャビネットの電力消費量を計るためにキャビネットに接続された“電力計”を設置することを要求している。屋外にある小さなキャビネットと比較して電力計は場所をとり、設置と運用の費用を著しく増加させる。  
【０００４】
遠隔地の屋外に設置されたキャビネットにおいてＣＯから送電される電力を使用するためには、通信に使用されないケーブルペアが必要となってしまう。そして、将来、ＣＯと、遠隔地の屋外にあるキャビネットとの間の距離は、屋外にあるキャビネットと加入者宅間の距離と比較して非常に大きくなるだろう（加入者宅までの典型的な距離は５００メートルで、ＣＯまでの距離は５０００メートル以上である。）。  
【０００５】
先行技術の不都合を解決した遠隔地にあるキャビネットへの電力供給システム、および、方法を提供できれば、有利だろう。  
【０００６】
本発明は、ＣＯ、または、地域の電力会社よりもむしろ、加入者宅から屋外にあるキャビネットに電力を供給する方法、および、装置を開示する。接続されているそれぞれの加入者からの電話線が遠隔地にあるキャビネットへの電力の送電に使用される。
【課題を解決するための手段】
【０００７】
アドオン回路によって、加入者宅からの電力を屋外にあるブロードバンドキャビネットへ接続することになる。屋外にあるキャビネット内の回路はキャビネット内の通常の供給ラインを介して、内部に設置されたブロードバンド装置に分配するために加入者から供給された電力を使用する。  
【０００８】
第１の観点によれば、本発明はワイヤーライン（電線）を介して加入者の設備に通信サービスを供給するブロードバンドサービスを提供している遠隔地に設置されたキャビネットへ電力を供給する方法を提供している。電力は加入者宅から電線サービスを通して接続され、交流から直流に変換される。電圧は遠隔地にあるキャビネットへの送電のためにレギュレート（調整）されている。ここで、ブロードバンドサービスポイントは、受電した直流電力を、キャビネット内のブロードバンド装置の要求と適合するように調整している。  
【０００９】
第２の観点によれば、本発明は通信サービスを電話線（電線）を介して加入者宅に供給するブロードバンド装置を備える、遠隔地にあるキャビネットに電力を供給するシステムを提供する。加入者宅に設置される加入者宅設置装置（カスタマ・プレマイシーズ・イクイップメント：ＣＰＥ）はブロードバンドサービスを加入者に提供するために同じ電話線に沿って、遠隔地にあるキャビネット内のブロードバンド装置へ送電するために電力を変換し、および、調整するように修正される。  
【００１０】
電力は直流電力として受電され、そして、キャビネット内で装置の要求する電圧と適合されるように調整される。
【図面の簡単な説明】
【００１１】
以下では、発明は図面に描かれている実施形態を参照して説明される。
【図１】遠隔地にあるＤＳＬＡＭが4人の加入者に応対しているネットワークの一部分の高次元ブロック図である。
【図２】本発明の実施形態に従った遠隔地にあるキャビネットの高次元ブロック図である。
【図３】本発明の実施形態に従ったＣＰＥの高次元ブロック図である。
【発明を実施するための形態】
【００１２】
この詳細な説明において、本発明の実施形態を完全に理解して頂くために、多くの具体的な詳細について説明する。しかし、本発明の実施形態はこれらの具体的な詳細以外の方法でも実施可能であることは当業者にとって明らかであろう。他の例において、よく知られた方法、手順、構成物、および、回路は、本発明の実施形態を不明瞭にしないために詳細には示されていない。ここで開示される具体的な構造、および、機能的な詳細は代表例にすぎず、必ずしも本発明の目的を限定するものでないことは、理解されるであろう。  
【００１３】
本発明の実施形態は、プロセッサ、ハードウエア回路、もしくは、ハードウエア構造、または、これらを組み合わせることによって実行されるソフトウエアとして実行されうる機能を含んでもよい。プロセッサは汎用プロセッサや専用プロセッサであってもよく、例えば、インテル・コーポレーション、モトローラ・インコーポレイテッド、サンマイクロシステムズ・インコーポレイテッド、および、他のメーカによって製造されたプロセッサファミリのうちのいずれかのプロセッサであってもよい。ソフトウエアは、プログラミングロジック、命令、または、本発明の実施形態のためのある種の機能を実行するためのデータを備えていてもよい。ソフトウエアはコンピュータによってアクセス可能な媒体、または、リードオンリーメモリ（ＲＯＭ）、ランダムアクセスメモリ（ＲＡＭ）、磁気ディスク（例えばフロッピー（登録商標）ディスク、および、ハードディスクドライブ）、光学ディスク（例えばＣＤ−ＲＯＭ）、もしくは、他のすべての記憶媒体のようなコンピュータ可読記憶媒体に記憶されていてもよい。本発明の一つの実施形態において、プロセッサによって実行される以前に、コンパイルされ、または、インストーラによってインストールされねばならないかもしれない命令と同様に、プログラミングの命令を圧縮、符号化、または、圧縮され符号化された形式で、これらの可読記憶媒体は記憶していてもよい。かわりに、本発明の実施形態は列挙された機能を実行するためのハードワイアードロジックを含む特殊なハードウエアの構成部品として、または、プログラムされた汎用コンピュータ構成部品、および、専用に製造されたハードウエア構成部品によって実行されてもよい。  
【００１４】
明細書における“一つの実施形態”、または、“実施形態”の参照は、実施形態と関連して説明される特別な機能、構造、または、特徴が少なくとも一つの本発明の実施形態に含まれていることを意味している。明細書の様々な場所における“一つの実施形態における”というフレーズの出現は、すべて同じ実施形態を参照しているとは限らない。  
【００１５】
図面を詳細に参照すると、図１に示されている本発明の一つの実施形態を実施するのに適したシステムがある。図１はネットワークの一部分において４人の加入者にサービスを提供しているリモートＤＳＬＡＭを示した高次元ブロック図である。加入者はＣＰＥ１−ＣＰＥ４として示されている。ＤＳＬＡＭは図示されていないが、キャビネットの中に設置されている。電話局（ＣＯ）はデータネットワーク、および、公衆交換電話網（パブリック・スイッチド・テレフォン・ネットワーク）に接続され、キャビネット内のＤＳＬＡＭを介してＣＰＥにブロードバンドサービスを提供している。  
【００１６】
図２は本発明の実施形態に従った遠隔地にあるキャビネットの高次元ブロック図を示している。加入者宅設置装置（カスタマ・プレマイシーズ・イクイップメント：ＣＰＥ）ユニットは遠隔地に設置されたキャビネットからＶＤＳＬ２サービスを受信する。遠隔地にあるキャビネットはＤＳＬＡＭを内蔵している。ＤＳＬＡＭは図１に描かれているように、ＣＰＥ１、ＣＰＥ２、ＣＰＥ３、および、ＣＰＥ４として示されているＣＰＥユニット（装置）によって表された加入者１人以上にＶＤＳＬ２サービスを提供している。  
【００１７】
電力はそれぞれの加入者宅の商用電源（例えば、交流１２０Ｖ−２４０Ｖ）によって、それぞれのＣＰＥに供給されている。商用電源からの電力は変換され、パワーユニット（電源装置）と遠隔地にあるキャビネット内のＤＳＬＡＭとに送電される。ＣＰＥにおいて電話線（電線）に印加される電圧は、ここでは、直流−６０Ｖと示されている。パワーユニットによって供給される電圧は−４８Ｖである。ＤＳＬＡＭにより要求される電力の一部分は遠隔地にあるキャビネット内のＤＳＬＡＭからサービスの提供を受ける複数のＣＰＥのそれぞれから受電されている。遠隔地にあるキャビネット内に存在するパワーユニットはＤＳＬＡＭによって代表される負荷を決定し、電力を供給することが可能なＣＰＥの数に従ってそれぞれのＣＰＥから供給すべき電力の値を導出している。パワーユニットは供給源であるそれぞれのＣＰＥに対する電力の要求を等しく分配するよう努める。  
【００１８】
図３は本発明の実施形態に従ったＣＰＥを示した高次元ブロック図である。ＣＰＥは従来のＣＰＥを修正することで構築されている。ここで、ＤＳＬＡＭに電力を供給するために、加入者宅の電力、例えば交流１１０Ｖ−２４０Ｖを受電するとができるよう、電源への接続部が設けられている。  
【００１９】
加入者宅の電力は交流から直流に変換され、この直流は、電圧を変圧して調整するための直流電力供給源に供給される。調整された直流電圧は遠隔地にあるキャビネット内のパワーユニットへ送電されるべく、電話線、または、電線に印加される。パワーユニットは、接続されているＣＰＥの数にしたがって、加入者のＣＰＥから引いてきた電力の量をレギュレート（調整）する。  
【００２０】
家庭からの電力を導入することによって、屋外または遠隔地にあるリモートキャビネット内の通信装置に電力を供給することが可能となり、しかも、電力の供給経路の距離は加入者とキャビネット間の比較的短い距離となる。ＤＳＬＡＭに接続されたすべての加入者のＣＰＥは、リモートキャビネットに必要とされる電力の一部分を供給する。加入者宅のＣＰＥは、すでに加入者宅において商用電源に接続されている。だから、電話線を介した屋外にあるキャビネットへの電力の供給は比較的容易である。遠隔地にあるキャビネットはそれぞれの加入者からの電力を受電し、ＤＳＬＡＭの負荷によって要求される電力を等しくすべての加入者に分配するための回路を含んでいる。  
【００２１】
適した電圧、例えば直流−６０ＶをＤＳＬＡＭに供給するためのＣＰＥの機能は、加入者宅に設置される。電話線内に存在する電力は、通話、または、ブロードバンド接続に影響を与えない。提供されるブロードバンドサービスはＡＤＳＬ、ＶＤＳＬ２、対称デジタル加入者線
（ＳＤＳＬ）ならびにＩＳＤＮデジタル加入者線（ＩＤＳＬ）、および、対称高速デジタル加入者線（ＳＨＤＳＬ）を含んでもよい。もしすべてのＣＰＥがスイッチオフにされた場合における電力供給の完全な消失を防ぐために、ＣＰＥから供給されていた電力の消失分を、ソーラ、電池、および、遠隔電力のような他の電力源によって補完し、スタンバイ動作を確実に実行できるようにしてもよい。  
【００２２】
本実施形態において説明してきた革新的な概念は、実施形態の幅広い範囲において修正、および、変更可能であることは、当業者にとっては明らかであろう。したがって、特許発明の技術的範囲は上述した具体的かつ典型的な事項にのみ限定されることはない。特許発明の技術的範囲は以下の特許請求の範囲によって定義される。
【図１】
2010521854.tif 000003
【図２】
2010521854.tif 000004
【図３】
2010521854.tif 000005
【国際調査報告】
2010521854.tif 000006
2010521854.tif 000007